(57)【要約】  【課題】  大きなごみ類に対しても容易に除去できる除塵機を提供することを課題とする。また、幅の広い河川に対しても容易に取りつけ可能にする除塵機を提供することを課題とする。  【構成】 河川等の水路を流れてくる流木、水草、その他のごみ類を掻き揚げて所定の位置に放出する除塵機において、前記レーキは複数の高張力鋼からなる細長い刃形部材を前記スクリーンのスクリーンバー間に位置するように配置して支持部材で連結固定し、前記刃形部材が該スクリーン表面を外方向略水平に突出した状態で上方向に移動するように該連結部材を前記無端状チェーンに固定してごみ類を掻き揚げ可能にすると共に、ごみ類の塊が形成された場合に該塊を分解可能にするように該刃形部材の先端を鋭利な形状に構成したことを特徴とする。【選択図】 図１
2005036482.tif 000002
【特許請求の範囲】
【請求項１】
河川等の水路を流れてくる流木、水草、その他のごみ類を捕捉するために水路に傾斜して設置されるスクリーンと、該スクリーンによって捕捉されたごみ等を掻き揚げて所定の位置に放出するレーキと、該レーキを前記スクリーンの前後を回動させる無端状チェーンと、該無端状チェーンを駆動する駆動装置とを具備する除塵機において、前記レーキは複数の高張力鋼からなる細長い刃形部材を前記スクリーンのスクリーンバー間に位置するように配置して支持部材で連結固定し、前記刃形部材が該スクリーン表面を外方向略水平に突出した状態で上方向に移動するように該連結部材を前記無端状チェーンに固定してごみ類を掻き揚げ可能にすると共に、ごみ類の塊が形成された場合に該塊を分解可能にするように該刃形部材の先端を鋭利な形状に構成したことを特徴とする除塵機。
【請求項２】
前記刃形部材は、側面形状が幅の広い３日月状で、一方の先端を上向きに湾曲させ、鋭利な形状にすると共に、断面形状が細長い台形状に形成したことを特徴とする請求項１に記載の除塵機。
【請求項３】
前記刃形部材は、前記スクリーンバーを両方から挟むように配置すると共に、かつ、等間隔に配置して前記支持部材に固設したことを特徴とする請求項１又は請求項２の何れか１に記載の除塵機。
【請求項４】
前記刃形部材は、前記スクリーンからの突出長さを略２０センチ〜略３０センチとしたことを特徴とする請求項１〜請求項３の何れか１に記載の除塵機。
【請求項５】
前記刃形部材をヘルテン鋼で構成したことを特徴とする請求項１〜請求項４の何れか１に記載の除塵機。
【請求項６】
前記スクリーン及び前記支持部材は各々の所定の最大長さを定めてその最大長さを超える長さの場合は複数のブロックに分割して製作し、取付け現場で組立て可能に構成したことを特徴とする請求項１〜請求項５の何れか１に記載の除塵機。
【発明の詳細な説明】
【技術分野】
【０００１】
この発明は、河川等の水路を流れる流木、水草、その他のごみ類を除去する除塵機に関するものである。
【背景技術】
【０００２】
従来から、用水路、河川等を流れる流木、水草、その他のごみ類を除去する除塵機を設け用水路のクリーン化が図られていた。例えば、従来装置としては、特許文献１に開示されているような除塵機がある。この除塵機は水路に枠組みを設けて、この枠組みの前後を無端帯状にした金網をチェーンとガイドローラを利用して回動させるものである。金網の目を細かくすると費用が高くなるだけでなく、流木等の大きなごみを除去するのが困難であるという課題がある。また、逆に目を粗くすると小さなごみ類を除去できないという課題がおこる。
【特許文献１】特開平１０−１３１１５３号公報
【特許文献２】実公平６−４７９５９号公報
【０００３】
又、別の従来装置として、特許文献２に開示されている除塵機がある。これは本願と同一の発明者が考案した装置で、図７に示してある。以下この装置について簡単に説明する。図７において、水路５０の流れと直角方向に水路の幅方向全体に亘り縦格子状のスクリーン５１が流れ方向に対して傾斜して設置される。スクリーン５１は枠体５２に支持されており、枠体５２の前面板５３にはナイロン樹脂製の案内ローラ５４がほぼ等間隔に設けられている。案内ローラ５４の外側には左右に設けられた一対の無端状チェーン５５がスプロケット５７とスプロケット５８の間に掛装されている。スプロケット５７はモータ５６に連結されており、スプロケット５８は水路５０の底より僅か上方に設けられている。
【０００４】
無端状チェーン５５にはごみ類を掻き揚げるレーキ５９が固定されている。スクリーン５１の上方には掻き揚げたごみの散乱を防止するためのエプロン６１が両側に設けられた案内ローラ５５に挟まれて設けられており、スクリーン５１の下方にはレーキ５９を固定した無端状チェーン５５の回転を可能にするために水路の底との間に空間が設けられている。この空間からごみ類が流過するのを防止するために補助スクリーン６２が設けられている。また、水路脇の地上には掻き揚げたごみ類を所定の個所に集めるための排出コンベア６０が設けられている。なお、エア噴出パイプ６３は補助スクリーン６２の回りに堆積した砂等を吹き飛ばすためのものである。
【発明の開示】
【発明が解決しようとする課題】
【０００５】
上記した後者の従来装置では、掻き揚げたごみ類の一部が落下して、水面に浮いているごみ類などに巻き付いて巨大なごみの塊となって掻き揚げが困難になるという課題があった。また、レーキの刃を長くすると大きなごみ（例えば、流木）を掻き揚げようとすると刃が曲がってしまうという課題があった。また、従来の装置では幅の広い河川に対しては除塵機の運搬や組立て作業が困難であった。
本発明は、上記事実に鑑みなされたものであり、大きなごみ類に対しても容易に除去できる除塵機を提供することを課題とする。また、幅の広い河川に対しても容易に取りつけ可能にする除塵機を提供することを課題とする。
【課題を解決するための手段】
【０００６】
本発明は上記の課題を解決するための手段として以下の構成を採用している。即ち、
請求項１に記載の発明は、河川等の水路を流れてくる流木、水草、その他のごみ類を捕捉するために水路に傾斜して設置されるスクリーンと、該スクリーンによって捕捉されたごみ等を掻き揚げて所定の位置に放出するレーキと、該レーキを前記スクリーンの前後を回動させる無端状チェーンと、該無端状チェーンを駆動する駆動装置とを具備する除塵機において、前記レーキは複数の高張力鋼からなる細長い刃形部材を前記スクリーンのスクリーンバー間に位置するように配置して支持部材で連結固定し、前記刃形部材が該スクリーン表面を外方向略水平に突出した状態で上方向に移動するように該連結部材を前記無端状チェーンに固定してごみ類を掻き揚げ可能にすると共に、ごみ類の塊が形成された場合に該塊を分解可能にするように該刃形部材の先端を鋭利な形状に構成したことを特徴としている。
本発明は大きな流木や大きく纏まって塊と化したごみ類を容易に掻き揚げることができるという機能を有している。
【０００７】
また、請求項２に記載の発明は、請求項１に記載の発明において、前記刃形部材は、側面形状が幅の広い３日月状で、一方の先端を上向きに湾曲させ、鋭利な形状にすると共に、断面形状が細長い台形状に形成したことを特徴としている。
本発明は刃形部材の強度の増大と水抵抗の減少を図っている。
【０００８】
請求項３に記載の発明は、請求項１又は請求項２に記載の発明において、前記刃形部材は、前記スクリーンバーを両方から挟むように配置すると共に、かつ、等間隔に配置して前記支持部材に固設したことを特徴としている。
本発明は、刃形部材がスクリーンバーを両方から挟むように配置されているために、スクリーンバーに絡まったごみ類を容易に掻き揚げることができる。また、等間隔に配置したことにより、製作が容易になっている。
【０００９】
請求項４に記載の発明は、請求項１〜請求項３に記載の発明において、前記スクリーンからの突出長さを略２０センチ〜略３０センチとしたことを特徴としている。
本発明は、大きなごみ類を掻き揚げ可能にしている。
【００１０】
また、請求項５に記載の発明は、請求項１〜請求項４に記載の発明において、前記刃形部材をヘルテン鋼で構成したことを特徴としている。
本発明は、刃形部材の強度の増大を図っている。
【００１１】
請求項６に記載の発明は、請求項１〜請求項５に記載の発明において、前記スクリーン及び前記支持部材は各々の所定の最大長さを定めてその最大長さを超える長さの場合は複数のブロックに分割して製作し、取付け現場で組立て可能に構成したことを特徴としている。
本発明は運搬を容易にすると共に組立て作業を容易にしている。
【発明の効果】
【００１２】
刃形部材を長くし、かつ先端を鋭利にすると共に高張力鋼で構成したので、大きなごみに対しても容易に掻き揚げて除去することができるという効果を有する。更に、各部品は運搬が容易にできるサイズに構成し、しかも取付け現場で組立てられるので、取付け作業が容易になるという効果もある。又、川幅の広い場合にも容易に適合させることができるので、大きな川幅の河川にも利用可能であるという効果もある。
【発明を実施するための最良の形態】
【００１３】
図１は本発明を実施した実施形態の側面図を示し、図２は正面図を示す。図３は刃形部材の形状を示す。図４及び図５は刃形部材の配置及び固定方法を示す。図６は正面から見た要部の詳細を示す。以下本発明の実施形態を図に基づいて説明する。なお、従来装置（図７参照）と同じ構成部分については同一の参照番号を付して詳細な説明を省略し、改良した部分について詳述する。図１及び図２において、無端状チェーン５５に１又は複数個（本実施形態では３個）のレーキ１０が略等間隔取付けられている。図１に示すように、レーキ１０の刃形部材２２はバースクリーン５１（以下、「スクリーン５１」という。）の正面上側を通過するとき、即ちごみ類を掻き揚げているときは、その角度が略水平となるように取付けられている。スクリーン５１は、図２で明示されているように、複数のスクリーンバー５１ａを横方向に等間隔に並べて上端、下端及びそれらの中間に複数の連結部材５１ｂを設けて固定した構成になっている。なお、レーキ１０については後で詳述する。無端状チェーン５５の回転を円滑にするために、アイドル用スプロケット６４及びガイドローラ６５がエプロン６１の裏側及びスクリーン５１の裏側に設けられている。
【００１４】
また、図２に示すように、水路５０の幅Ｂが広いために、３個のスクリーン５１を連結クリップ１１によって横方向に連結している。なお、連結部分の間隔はスクリーン５１の間隔（正確には、スクリーンバー５１ａの間隔）と同じ長さになるように連結される。このために、レーキ１０の製作が容易になるだけでなく、個々のスクリーン５１の製作及び運搬が容易になっている。補助スクリーン６２も同様に３個のスクリーンを連結して構成されている。さらに水路５０の幅Ｂが更に広く、レーキ１０の最大長さよりも広い場合は複数の除塵機を横に配置して設置する。これによって、幅の広い水路に対しても簡単に適用できるように構成されている。なお、図２では無端状チェーン５５を図示省略してガイドローラ５４を示している。
【００１５】
図３はレーキ１０に取付ける刃形部材２２の形状を示す。刃形部材２２の先端部２２ｃは上方に向かって緩やかに湾曲していると共に先端が鋭く尖っている。また、後端部２２ｄは上方に向かって湾曲している。さらに、刃形部材２２の上端面２２ａの幅（ａ）は刃形部材２２の全長に渡って狭く、下端面２２ｂの幅（Ａ）は広く形成されている。又、背の高さ（Ｃ）は十分に大きく形成されている。即ち、図３（Ｄ）に示すように断面は背の高い台形状に形成されている。刃形部材２２は上記のような形状に形成されていると共に、高張力鋼、例えばヘルテン鋼で構成されている。このために、大きな重いごみ類を掻き揚げる場合にも刃形部材２２は曲げ変形しにくいという機能を有する。また、断面が台形状に形成されていることから、刃形部材２２が水中を上方に移動する場合、特に草木等のごみ類が上に載っている場合でも水切り抵抗が比較的小さくなるという機能を有する。又、先端２２ｃが上方に向かって湾曲していると共に先端が鋭く尖っているために、草木等のごみ類が巻かれて大きなごみの塊となった場合でも、それをほぐしながら一部を掻き揚げるために草木等の大きなごみの塊も容易に掻き揚げることができるという機能を有する。更に、刃形部材２２の全長を相当長く（略４０ｃｍ）形成すれば、流木等の大きなごみに対しても刃形部材２２の先端が流木に突き刺さるので容易に掻き揚げることができる。また、後方先端を尖らせてスクリーン５１に絡まっているごみ類の切断、掻揚げを容易にしてもよい。
【００１６】
図４及び図５はレーキ１０の構成を示している。図４はレーキ１０の横断面図を示し、図５はレーキ１０の上から見た平面図の一部で、レーキ１０（刃形部材２２）とスクリーン５１との配置関係を示す。図４、図５において、レーキ１０は支持連結部材２１に刃形部材２２を等間隔に配置して溶接により固定した構成になっている。支持連結部材２１は、図４に示すように、刃形部材２２を固定する上辺板材２１ａと、スクリーンバー５１ａと平行に設けられた板材２１ｂと、板材２１ａと２１ｂを連結補強する板材２１ｃとから形成される中空の三角柱に構成されている。さらに、支持連結部材２１の裏側に無端状チェーン５５と連結するための板材２３が板材２１ｂに固設されている。又、上辺板材２１ａと板材２１ｂによって挟まれる角度Ｃを適当に定めることにより、レーキ１０がスクリーン５１を上向きに移動するときに刃形部材２２が略水平に維持される。
【００１７】
刃形部材２２は、図５に示すように、一対の刃形部材２２、２２がスクリーンバー５１ａを挟むようにして、かつ全ての刃形部材２２が等間隔に配置されるようにして上辺板材２１ａに溶接で固定されている。溶接による固定は、例えば、刃形部材２２の両側面及び上辺部材２１ａの前端部及び後端部を溶接して固定する。以上の様にして構成されたレーキ１０は、図５及び図６に示すように無端状チェーン５５に連結される。
【００１８】
無端状チェーン５５のレーキ１０を取付け部分には、チェーンを構成する枠金部材２７、２７の一方がＬ字形状に構成されており、Ｌ字形状の部分にボルト穴２８が設けられている。一方、板材２１ｂに固設された板材２３の両端部にもボルト穴２８が設けられている。これらのボルト穴２８を重ねた状態でボルトによって連結される。また、チェーンを構成する枠金部材２７、２７は除塵機の枠体５２に設けられている複数のガイドローラ５４と接触しながら上方向に移動し、スクリーン５１の回りを旋回するように構成されている。
【００１９】
図６はレーキ１０を前方から見た部分図を示す。なお、ガイドローラ５４等は図示を省略している。図６において、レーキ１０は図の矢印方向（上方）に移動する。移動の際に刃形部材２２が対になって、スクリーンバー５１ａを両方向から挟んで移動するために、また、刃形部材２２の後端部２２ｄが上方に向かって湾曲しているために、スクリーンバー５１ａの上流側表面に絡んで付着している草や藻等を容易に剥離して掻き揚げ可能になっている。又、刃形部材２２の胴体部及び先端部２２ｃがスクリーンバー５１ａから大きく突出するように構成されている（図４参照）。
【００２０】
本実施形態は以上に説明したように構成されており、以下の機能及び効果を有する。即ち、刃形部材２２は全長が相当に長く、かつ大部分がスクリーンバー５１ａの前方に突出しており、しかも曲げ強度が大きくなるように構成されているので、大きなごみに対しても容易に掻き揚げて除去することができるという特徴を有する。又、後端部２２ｄがスクリーンバー５１ａを挟むように配置されているので柔らかく絡まり易い草や藻等も容易に掻き揚げることができるという効果を有する。更に、各部品は運搬が容易にできるサイズに構成し、しかも取付け現場で溶接なしに組立可能に構成されているので、取付け作業が容易になるという効果がある。又、川幅の広い場合にも容易に適合させることができるので、大きな川幅の河川にも利用可能である。
【００２１】
以上本発明の実施形態を図面に基づいて詳述してきたが、本発明の技術的範囲はこれに限られるものではない。例えば、スクリーンバー５１ａ，５１ａの間に刃形部材を２本設けた場合に限定されるものではなく、１本又は３本にした場合も本発明の技術的範囲に属する。
【図面の簡単な説明】
【００２２】
【図１】実施形態の側面図を示す。
【図２】実施形態の正面図を示す。
【図３】レーキの刃形部材の構成を示す。
【図４】レーキの構成を示す。
【図５】レーキの刃形部材の配置構成を示す。
【図６】レーキと無端状チェーン、スクリーンとの配置関係を示す。
【図７】従来の除塵機を示す。
【符号の説明】
【００２３】
１０          レーキ
２１          支持連結部材
２２          刃形部材
２２ｃ      先端部
２２ｄ      後端部  
２３          チェーン取付け用板材
２６          Ｌ字形状部材
５１          スクリーン（バースクリーン）
５１ａ      スクリーンバー
５５          無端状チェーン
【図１】
2005036482.tif 000003
【図２】
2005036482.tif 000004
【図３】
2005036482.tif 000005
【図４】
2005036482.tif 000006
【図５】
2005036482.tif 000007
【図６】
2005036482.tif 000008
【図７】
2005036482.tif 000009